(57)【要約】【課題】起動時のオーバーシュートを抑制することのできる点灯装置および照明器具を提供する。【解決手段】制御回路部４０ａは、平滑コンデンサ１７の両端電圧を立上げる起動時に制御信号のオン時間幅ｔｏｎおよび周期Ｔを固定する制御を実行する。期間Ｔ１は、このような制御が行われている。その後、制御回路部４０ａは、平滑コンデンサ１７の両端電圧が目標値ＶＰＦＣ以上となったらフィードバック制御に切り替えて公知の力率改善回制御を実施する。期間Ｔ２はフィードバック制御の実施中である。フィードバック制御は制御信号のオン時間幅ｔｏｎおよび周期Ｔの少なくとも一方が可変であり、平滑コンデンサ１７の両端電圧を目標値ＶＰＦＣに一致させるように抵抗１５、１６の分圧回路で検出した電圧値をスイッチング素子１１の制御信号にフィードバックするものである。【選択図】図２
2018143095.tif 000002
【特許請求の範囲】
【請求項１】
スイッチング素子と、
前記スイッチング素子がスイッチングされることで充電される平滑コンデンサと、
前記平滑コンデンサの両端の電圧を検出する出力電圧検出手段と、
前記スイッチング素子の制御端子に制御信号を供給する制御回路と、
を備え、
前記制御回路は、前記出力電圧検出手段で検出した電圧が閾値未満であるときは前記制御信号のオン時間幅および周期を固定する制御を実行し、前記出力電圧検出手段で検出した電圧が前記閾値以上となったら前記制御信号のオン時間幅および周期の少なくとも一方が可変であり且つ前記閾値を目標値とするフィードバック制御に切り替える点灯装置。
【請求項２】
点灯装置への入力電圧の大きさを検出する入力電圧検出手段を備え、
前記制御回路は、前記出力電圧検出手段で検出した電圧が前記閾値未満であるとき、前記入力電圧検出手段が検出した前記電圧の大きさに応じて、前記オン時間幅の固定値を可変に設定する請求項１に記載の点灯装置。
【請求項３】
前記オン時間幅の固定値は、負荷の電力消費による前記平滑コンデンサの電荷消費量を超える充電量で前記平滑コンデンサを充電するオン時間幅に設定される請求項２に記載の点灯装置。
【請求項４】
前記制御回路は、前記平滑コンデンサの両端電圧を立上げる起動時に前記オン時間幅および前記周期を固定する請求項１〜３のいずれか１項に記載の点灯装置。
【請求項５】
発光素子と、
前記発光素子を点灯させる点灯装置と、
を備え、
前記点灯装置は、
スイッチング素子と、
前記スイッチング素子がスイッチングされることで充電される平滑コンデンサと、
前記平滑コンデンサの両端の電圧を検出する出力電圧検出手段と、
前記スイッチング素子の制御端子に制御信号を供給する制御回路と、
を備え、
前記制御回路は、前記平滑コンデンサを充電する起動時に前記出力電圧検出手段で検出した電圧が閾値未満であるときは前記制御信号のオン時間幅および周期を固定する制御を実行し、前記出力電圧検出手段で検出した電圧が前記閾値以上となったら前記制御信号のオン時間幅および周期の少なくとも一方が可変であり且つ前記閾値を目標値とするフィードバック制御に切り替える照明器具。
【発明の詳細な説明】
【技術分野】
【０００１】
本発明は、点灯装置および照明器具に関する。
【背景技術】
【０００２】
従来、例えば、特開２００９−１８９１５８号公報に開示されているように、起動時に出力平滑コンデンサを充電するようにフィードバック制御を行う照明用電源装置が知られている。この従来技術にかかる電源装置は、力率改善回路に接続した平滑コンデンサを充電する起動時（長時間の停止後の起動時のみならず、再起動時も含む）に、先ず第１電圧を目標値とするフィードバック制御で平滑コンデンサを充電し、その後さらに大きな正規の目標電圧である第２電圧を目標値とするフィードバック制御で平滑コンデンサを充電するように、平滑コンデンサの出力電圧をスイッチング素子のオンデューティ比にフィードバックしている。このような二段階の目標値設定により出力電圧のオーバーシュートを小さく抑制することを図っている。
【先行技術文献】
【特許文献】
【０００３】
【特許文献１】特開２００９−１８９１５８号公報
【発明の概要】
【発明が解決しようとする課題】
【０００４】
しかしながら、上記従来の技術では結局のところ第２目標値での充電中においてもフィードバック制御を実施しているので、オーバーシュートを小さく抑えることに限界があるという問題があった。
【０００５】
本発明は、上述のような課題を解決するためになされたもので、平滑コンデンサを充電する際に出力電圧のオーバーシュートを抑制することのできる点灯装置および照明器具を提供することを目的とする。
【課題を解決するための手段】
【０００６】
本発明にかかる点灯装置は、スイッチング素子と、前記スイッチング素子がスイッチングされることで充電される平滑コンデンサと、前記平滑コンデンサの両端の電圧を検出する出力電圧検出手段と、前記スイッチング素子の制御端子に制御信号を供給する制御回路と、を備え、前記制御回路は、前記出力電圧検出手段で検出した電圧が閾値未満であるときは前記制御信号のオン時間幅および周期を固定する制御を実行し、前記出力電圧検出手段で検出した電圧が前記閾値以上となったら前記制御信号のオン時間幅および周期の少なくとも一方が可変であり且つ前記閾値を目標値とするフィードバック制御に切り替える。
【０００７】
本発明にかかる照明器具は、発光素子と、前記発光素子を点灯させる点灯装置と、を備え、前記点灯装置は、スイッチング素子と、前記スイッチング素子がスイッチングされることで充電される平滑コンデンサと、前記平滑コンデンサの両端の電圧を検出する出力電圧検出手段と、前記スイッチング素子の制御端子に制御信号を供給する制御回路と、を備え、前記制御回路は、前記平滑コンデンサを充電する起動時に前記出力電圧検出手段で検出した電圧が閾値未満であるときは前記制御信号のオン時間幅および周期を固定する制御を実行し、前記出力電圧検出手段で検出した電圧が前記閾値以上となったら前記制御信号のオン時間幅および周期の少なくとも一方が可変であり且つ前記閾値を目標値とするフィードバック制御に切り替える。
【発明の効果】
【０００８】
本発明によれば、電圧が閾値未満であるときは制御信号のオン時間幅および周期を固定とし電圧が閾値以上となったらフィードバック制御に切り替えるので、平滑コンデンサを充電する際に出力電圧のオーバーシュートを抑制することができる。
【図面の簡単な説明】
【０００９】
【図１】本発明の実施の形態にかかる点灯装置および照明器具を示す回路図である。
【図２】本発明の実施の形態にかかる点灯装置の動作を示すタイムチャートである。
【図３】本発明の実施の形態にかかる点灯装置の制御信号波形を示す図である。
【発明を実施するための形態】
【００１０】
実施の形態１．
図１は、本発明の実施の形態にかかる点灯装置１および照明器具１００を示す回路図である。照明器具１００は、点灯装置１およびこれにより点灯させられるＬＥＤモジュール２７を備えている。点灯装置１は、図示しないスイッチを介して正極入力端子および負極入力端子に接続する。点灯装置１は、昇圧チョッパ回路である力率改善回路２と、バックコンバータ回路３とを備えている。点灯装置１の正極入力端子および負極入力端子は交流電源７に接続され、その交流電圧は整流回路８により整流されて直流電圧となり、力率改善回路２およびバックコンバータ回路３を用いてＬＥＤモジュール２７へ供給すべき直流電流が生成される。ＬＥＤモジュール２７は、複数のＬＥＤ素子２６を備えている。なお、ＬＥＤ素子に代えて有機ＥＬ素子を設けた有機ＥＬモジュールを設けても良い。
【００１１】
力率改善回路２は、ダイオードブリッジである整流回路８と、コンデンサ９と、インダクタ（コイル）１０と、ＭＯＳＦＥＴであるスイッチング素子１１と、ダイオード１４と、平滑コンデンサ１７を備えている。コンデンサ９は、一端が整流回路８の高電位側に接続し、他端が整流回路８の低電位側に接続している。インダクタ（コイル）１０は、一端が整流回路８の高電位側に接続される。このインダクタ１０の他端に、スイッチング素子１１が接続される。ダイオード１４は、アノード端子がスイッチング素子１１とインダクタ１０との接続点に接続される。平滑コンデンサ１７は、正極がダイオード１４のカソード端子に接続し、負極が整流回路８の低電位側に接続している。
【００１２】
力率改善回路２は、平滑コンデンサ１７に並列に接続される抵抗１５および抵抗１６の直列回路を備えている。平滑コンデンサ１７の両端電圧が抵抗１５、１６を用いて分圧され制御回路４０に入力される。また、コンデンサ９の両端電圧を分圧する抵抗３１、３２の直列回路も設けられ、分圧された電圧は制御回路４０に入力される。制御回路４０の制御回路部４０ａは、これらの入力値に基づいてスイッチング素子１１をオンオフするための制御信号をスイッチング素子１１のゲートに駆動信号として与える。
【００１３】
バックコンバータ回路３はＭＯＳＦＥＴからなるスイッチング素子１８とダイオード２１の直列回路を備えており、この直列回路が力率改善回路２の平滑コンデンサ１７と並列に接続されている。バックコンバータ回路３は、チョークコイル２２、平滑コンデンサ２３、および抵抗２４の直列回路を備えており、この直列回路がダイオード２１に並列に接続されている。抵抗２４は、ＬＥＤモジュール２７に流れるＬＥＤ電流を検出するためのものである。バックコンバータ回路３は、いわゆる非絶縁型の降圧コンバータである。ＬＥＤ電流を検出する抵抗２４からの検出電圧が制御回路４０に入力され、制御回路４０の制御回路部４０ｂはこの検出電圧に基づいて、ＬＥＤ素子に流れる電流が一定電流になるようにバックコンバータ回路３のスイッチング素子１８をオンオフする。
【００１４】
図２は、点灯装置１の動作を示すタイムチャートである。図３は、点灯装置１の制御信号波形を示す図であり、スイッチング素子１１を駆動させるための制御信号の固定オン時間幅ｔｏｎおよび固定周期Ｔが模式的に図示されている。制御回路部４０ａは、平滑コンデンサ１７の両端電圧を立上げる起動時に、抵抗１５、１６の分圧回路で検出した電圧が目標値ＶＰＦＣ未満であるときは制御信号のオン時間幅ｔｏｎおよび周期Ｔを固定する。図２の期間Ｔ１は、このような制御が行われている。その後、制御回路部４０ａは、平滑コンデンサ１７の両端電圧が目標値ＶＰＦＣ以上となったらフィードバック制御に切り替えて公知の力率改善回制御（ＰＦＣ制御）、好ましくは臨界モードＰＦＣ制御を実施する。図２の期間Ｔ２はフィードバック制御の実施中である。このように目標値ＶＰＦＣは、制御内容をフィードバック制御へと切り替えるための閾値である。フィードバック制御は制御信号のオン時間幅ｔｏｎおよび周期Ｔの少なくとも一方が可変であり、平滑コンデンサ１７の両端電圧を目標値ＶＰＦＣに一致させるように抵抗１５、１６の分圧回路で検出した電圧値を制御信号にフィードバックするものである。力率改善回路で行うべきフィードバック制御は各種公知技術を必要に応じて採用すればよい。
【００１５】
交流電源７の交流電圧実効値（あるいは振幅）が大きいほど整流回路８が出力する直流電圧すなわち力率改善回路２への入力電圧が大きくなり、入力電圧が大きいほどスイッチング素子１１をオンしたときの電圧波形の立上がりが急になる。そこで、期間Ｔ１すなわち目標値ＶＰＦＣ未満であるときは、抵抗３１、３２の分圧回路で検出した電圧の大きさに応じて制御回路４０がオン時間幅ｔｏｎの固定値を可変に設定することが好ましい。具体的には、図３（ａ）、（ｂ）に示すように、抵抗３１、３２の分圧回路で検出した電圧が小さいほどオン時間幅ｔｏｎを長めの値に設定することが好ましい。例えば、交流電源７がＡＣ１００Ｖである場合のオン時間幅ｔｏｎ１００を、交流電源７がＡＣ２００Ｖである場合のオン時間幅ｔｏｎ２００よりも大きくする（つまり、ｔｏｎ１００＞ｔｏｎ２００）。交流電源７がＡＣ２００Ｖである場合のオン時間幅ｔｏｎ２００は、交流電源７がＡＣ２４２Ｖである場合のオン時間幅ｔｏｎ２４２と同じかそれよりも大きくする（つまり、ｔｏｎ２００≧ｔｏｎ２４２）。それぞれの入力電圧ごとに異なる値でオン時間幅が固定された制御信号が、期間Ｔ１の間、スイッチング素子１１に供給される。
【００１６】
図２の期間Ｔ１において固定されたオン時間幅ｔｏｎが短すぎると、負荷すなわちＬＥＤモジュール２７の電力消費による平滑コンデンサ１７の電荷消費に起因して、目標電圧ＶＰＦＣに到達するまでに長時間がかかってしまう。そこで、オン時間幅ｔｏｎの固定値は、負荷すなわちＬＥＤモジュール２７の電力消費による平滑コンデンサ１７の電荷消費量を超える充電量で平滑コンデンサ１７を充電するオン時間幅に設定されることが好ましい。
【符号の説明】
【００１７】
１  点灯装置、２  力率改善回路、３  バックコンバータ回路、７  交流電源、８  整流回路、９  コンデンサ、１０  インダクタ、１１  スイッチング素子、１４  ダイオード、１５  抵抗、１６  抵抗、１７  平滑コンデンサ、１８  スイッチング素子、２１  ダイオード、２２  チョークコイル、２３  平滑コンデンサ、２４  抵抗、２６  素子、２７  モジュール、３１、３２  抵抗、４０  制御回路、４０ａ  制御回路部、４０ｂ  制御回路部、１００  照明器具
【図１】
2018143095.tif 000003
【図２】
2018143095.tif 000004
【図３】
2018143095.tif 000005